(57)【特許請求の範囲】
【請求項１】
半導体レーザ素子より放射されるレーザビームを、コリメートレンズを介して対物レンズにより収束させて記録媒体に照射させ、該記録媒体からの反射光を受光素子にて受光させると共に、
該半導体レーザ素子を含む光学素子が搭載されるハウジングに、フォーカスコイル、トラッキングコイル及び該対物レンズが搭載され該対物レンズをフォーカス方向およびトラッキング方向に駆動させるアクチュエータが取付けられて構成される光ピックアップ装置において、
前記ハウジングの上面に、前記コリメートレンズが配置され、
該ハウジングの該上面に、ハウジング内部の前記光学素子が配置される空間内の空気を放熱させる放熱用孔が、該コリメートレンズの周りを囲うように複数設けられ、
前記アクチュエータと、該ハウジングとが嵌合されたときに、該放熱用孔の上面に、前記トラッキングコイルが配置されたことを特徴とする光ピックアップ装置。
【請求項２】
前記ハウジングの前記上面に凹部が設けられ、該凹部は、前記コリメートレンズに対し左右対称に設けられ、該凹部に嵌合される位置合わせ片が、前記アクチュエータの駆動ベースの底面に左右に設けられたことを特徴とする請求項１記載の光ピックアップ装置。
【発明の詳細な説明】
【０００１】
【発明の属する技術分野】
本発明は、半導体レーザ素子から放射されるレーザビームの光路周辺構造を改良した光ピックアップ装置に関するものである。
【０００２】
【従来の技術】
ＤＶＤ−ＲＡＭなどに使用される半導体レーザ素子は、高出力のため、発熱量が多いレーザ素子が使用されている。また、ＤＶＤ−ＲＡＭは、高品位なレーザビームスポットが必要とされるため、ＣＤ−ＲＯＭにおいて通常使用されていないコリメートレンズが使用されている。半導体レーザ素子からレーザビームが放射される。ハーフミラーを介しコリメートレンズにより拡大方向にあるレーザビームを平行方向に光路を変えて放射する機構のベース部と、ベース部の上部のフォーカスコイルおよびトラッキングコイルと、レーザビームを収束させて記録媒体に照射させる対物レンズとが搭載されたアクチュエータ部で、ピックアップ装置が構成される。ベース部の半導体レーザ素子と、ハーフミラーと、コリメートレンズとの光路間は、密閉された空間とされている。
【０００３】
【発明が解決しようとする課題】
ＤＶＤ−ＲＡＭなどの記録に使用される半導体レーザは、高出力が要求され、また、記録密度が高いため、情報の読取りまたは書込みにはコリメートレンズを採用するなど高精度化の光ピックアップで対応しなければならない。このように高精度化に対応するために、半導体レーザと、ハーフミラーと、コリメートレンズとが使用されている。コリメートレンズが使用された光ピックアップ装置においては、半導体レーザ素子から放射されたレーザビームがハーフミラーを介しコリメートレンズに照射されるが、半導体レーザ素子と、ハーフミラーと、コリメートレンズとの間は、密閉された光路とされている。
【０００４】
斯かる光ピックアップ装置においては、レーザビームを放射する半導体レーザ素子の発熱により、コリメートレンズまでの光路内の空気温度が上昇され、半導体レーザ素子から放射されたレーザビームが高温の空気を通過するときに、レーザビームの光軸が揺らされる現象が発生する。その結果、対物レンズにより収束されたレーザビームのスポットが滲み、記録媒体の読取りまたは書込みに影響を及ぼすという問題があった。
【０００５】
本発明は、斯かる問題を解決した光ピックアップ装置を提供しようとするものである。
【０００６】
【課題を解決するための手段】
本発明の請求項１に係る光ピックアップ装置は、半導体レーザ素子より放射されるレーザビームを、コリメートレンズを介して対物レンズにより収束させて記録媒体に照射させ、該記録媒体からの反射光を受光素子にて受光させると共に、該半導体レーザ素子を含む光学素子が搭載されるハウジングに、フォーカスコイル、トラッキングコイル及び該対物レンズが搭載され該対物レンズをフォーカス方向およびトラッキング方向に駆動させるアクチュエータが取付けられて構成される光ピックアップ装置において、前記ハウジングの上面に、前記コリメートレンズが配置され、該ハウジングの該上面に、ハウジング内部の前記光学素子が配置される空間内の空気を放熱させる放熱用孔が、該コリメートレンズの周りを囲うように複数設けられ、前記アクチュエータと、該ハウジングとが嵌合されたときに、該放熱用孔の上面に、前記トラッキングコイルが配置されたことを特徴とする。
【０００７】
【発明の実施の形態】
図１は、本発明に係る光ピックアップ装置の一実施の形態を示す分解斜視図、図２は、ハウジングとアクチュエータとが組み合わせられて構成された光ピックアップ装置を示す斜視図、図３は、光ピックアップ装置の光学素子の配置を示す概略断面図である。
【０００８】
図において、１は、レーザビームを放射する半導体レーザ素子、２は、ハーフミラー３を介して照射された光源の光束を平行に光束化するコリメートレンズ、４は、前記半導体レーザ素子１とコリメートレンズ２及びハーフミラー３が搭載されるハウジング、５は、前記ハウジング４の上面に配置されたコリメートレンズ２の周囲に複数設けられ半導体レーザ素子１による発熱を放出するための放熱孔である。
【０００９】
６は、記録媒体にレーザビームスポットを照射させる対物レンズ、７は、前記対物レンズ６が取付けられ、フォーカスコイル（図示せず）及びトラッキングコイル８が巻回されるレンズホルダ、９は、前記レンズホルダ７の両側に上下各２本、計４本のワイヤにてレンズホルダ７を支持し、他端は図示しない支持部にて支持されているサスペンションワイヤであり、フォーカシング方向およびトラッキング方向に平行移動される。
【００１０】
１０は、前記サスペンションワイヤ９等の駆動部を保護するためのカバー、１１は、サスペンションワイヤ９を支持すると共に図示しないマグネットが固定配置される駆動ベース、１２は、前記駆動ベース１１の底面に左右に設けられた位置合わせ片、１３は、前記ハウジング４の上面に設けられた凹部であり、コリメートレンズ２の左右対称に設けられ、前記位置合わせ片１２が嵌合される。
【００１１】
１４は、前記駆動ベース１１の端部に設けられ、位置合わせ片１２が凹部１３に嵌合されるときに、取付孔１５ａに固定されるネジ切りされたタップ部、１５ｂは、前記取付孔１５ａと同一作用を成す取付孔である。
【００１２】
１６は、フォーカスコイル、トラッキングコイル８及び対物レンズ６などが搭載され、記録媒体にビームスポットを照射させる対物レンズ６を、フォーカシング方向およびトラッキング方向に移動させるアクチュエータである。
【００１３】
このように構成されたアクチュエータ１６と、ハウジング４とを嵌合させ、ネジにより取付孔１５ａを介してタップ部１４に固定させる。また、アクチュエータ１６と、ハウジング４とを嵌合させたときに、放熱孔５の上面に、トラッキングコイル８等が配置されるが、放熱孔５が塞がれることはない。そして、取付孔１５ｂも取付孔１５ａと同様に固定されることにより、図２に示す通り、光ピックアップ装置が完成される。
【００１４】
このように構成された光ピックアップ装置は、図３に示す通り、半導体レーザ素子１からレーザビームが放射されると、ハーフミラー３にて反射されコリメートレンズ２に照射されるが、ハウジング４内に配置されるレーザ素子１とハーフミラー３とコリメートレンズ２とへの光路は、一つの空間Ａに形成されている。このように形成された空間Ａ内の空気は、半導体レーザ素子１の発熱により熱せられ温度が上昇するが、放熱孔５により、空間Ａ内の空気が矢印Ｂの通り放出される。そのため、ハウジングの空間Ａ内の温度上昇が抑えられる。
【００１５】
なお、実施例においては、放熱孔５は、丸孔とされているが、丸孔に限定されることなく、角孔や長孔などとされてもよい。
【００１６】
【発明の効果】
以上の如く、請求項１記載の発明によれば、半導体レーザ素子とハーフミラー及びコリメートレンズの光路内部が、従来、密閉されて配置されていたが、コリメートレンズの近傍に、コリメートレンズの周りを囲うように複数の放熱用孔が設けられ、内部の温度を放出させるようにしたので、半導体レーザから放射されるレーザビームが通過し光路となるハウジングの内部における空気の温度上昇が抑えられる。これにより、コリメートレンズに照射される光軸が揺らされることなく、正確にディスクの情報の読取り又は書込みが行われる光ピックアップ装置を提供することができる。
【図面の簡単な説明】
【図１】  本発明に係る光ピックアップ装置の一実施の形態を示す分解斜視図である。
【図２】  ハウジングとアクチュエータとが組み合わせられて構成された光ピックアップ装置を示す斜視図である。
【図３】  光ピックアップ装置の光学素子の配置を示す概略断面図である。
【符号の説明】
１              半導体レーザ素子
２              コリメートレンズ
３ ハーフミラー
４              ハウジング
５              放熱孔（放熱用孔）
６              対物レンズ
７ レンズホルダ
８ トラッキングコイル
９ サスペンションワイヤ
１０ カバー
１１ 駆動ベース
１２ 位置合わせ片
１３ 凹部
１４ タップ部
１５ａ，１５ｂ 取付孔
１６            アクチュエータ
１７ 受光部
１８ ディスク
Ａ 空間
【図１】
0003813461.tif 000002
【図２】
0003813461.tif 000003
【図３】
0003813461.tif 000004